(57)【要約】【課題】ゴミ袋を覆うことおよびゴミ袋を取り出すことが容易なゴミ袋覆いボックスを提供する。【解決手段】ゴミ袋覆いボックス１の底は、底板部が設けられておらず、開口底となっている。また、上記ゴミ袋覆いボックス１の上面側には、上蓋部１１が設けられている。この上蓋部１１は、対向する２つの側面部の上縁にそれぞれ可動に連結された２つの蓋片１１ａから成っている。そして、各蓋片１１ａの先端の中央側には、例えば、半円状の切欠きが形成されており、各蓋片１１ａが閉じられる状態で上記半円状の切欠きが合わさって円形の開口部１２が形成されるようになっている。上記開口部１２からは、ゴミ袋２の絞られた口部２ａを出すことができる。【選択図】図３
2017036105.tif 000002
【特許請求の範囲】
【請求項１】
底板部を有しない箱形状の本体の上部側に上蓋部を有しており、上記上蓋部は、上記本体内に収容されたゴミ袋の絞られた口部が出せる或いは上記本体内に手を入れることができる開口部を有しており、上記口部を掴んで持ち上げられたゴミ袋に押し上げられて開くように設けられていることを特徴とするゴミ袋覆いボックス。
【請求項２】
請求項１に記載のゴミ袋覆いボックスにおいて、積み重ね可能に形成されていることを特徴とするゴミ袋覆いボックス。
【請求項３】
請求項２に記載のゴミ袋覆いボックスにおいて、上記積み重ねの位置ずれを防止する位置ずれ防止部材を備えることを特徴とするゴミ袋覆いボックス。
【請求項４】
請求項１〜請求項３のいずれか１項に記載のゴミ袋覆いボックスにおいて、折り畳み可能または分解再組み立て可能に形成されていることを特徴とするゴミ袋覆いボックス。
【請求項５】
請求項１〜請求項４のいずれか１項に記載のゴミ袋覆いボックスにおいて、上記上蓋部の上記開口部を形成する縁が非鋭利化処理されていることを特徴とするゴミ袋覆いボックス。
【発明の詳細な説明】
【技術分野】
【０００１】
この発明は、路上等に出された収集用のゴミ袋を覆うことができるゴミ袋覆いボックスに関する。
【背景技術】
【０００２】
特許文献１には、透明性プラスチック板材により、胴部と、胴部の後壁の上縁から延設する蓋部と、胴部の下縁四辺から延設する底フラップからなる底部とを有するボックス本体からなるゴミ袋保護ボックスが開示されている。上記胴部は角筒状の使用形態と偏平に折畳んだ不使用形態とに転換可能であり、底部は使用形態で下方開口を閉鎖して不使用形態で胴部の内側へ折り込まれ、蓋部は前フラップと胴部側に対する止着部を備え、胴部には蓋部の止着部に対して第１係止部と第２係止部とを備える。ゴミ袋を収容した使用形態において、止着部を第１係止部に係着することで、蓋部が胴部の上方開口を閉鎖した状態で固定される。不使用形態において、止着部を第２係止部に係着することで、全体が矩形の折畳み状態で固定される。
【先行技術文献】
【特許文献】
【０００３】
【特許文献１】特開２０１３−２３０９３０号公報
【発明の概要】
【発明が解決しようとする課題】
【０００４】
しかしながら、上記従来のゴミ袋保護ボックスでは、当該ゴミ袋保護ボックス内へのゴミ袋の収納および当該ゴミ袋保護ボックス内からのゴミ袋の取り出しが行い難いという欠点がある。
【０００５】
この発明は、ゴミ袋を覆うことおよびゴミ袋を取り出すことが容易なゴミ袋覆いボックスを提供することを課題とする。
【課題を解決するための手段】
【０００６】
この発明のゴミ袋覆いボックスは、上記の課題を解決するために、底板部を有しない箱形状の本体の上部側に上蓋部を有しており、上記上蓋部は、上記本体内に収容されたゴミ袋の絞られた口部が出せる或いは上記本体内に手を入れることができる開口部を有しており、上記口部を掴んで持ち上げられたゴミ袋に押し上げられて開くように設けられていることを特徴とする。
【０００７】
上記ゴミ袋覆いボックスは、底板部を有しない箱形状の本体を有しているので、ゴミの収集日に路上等に置いたゴミ袋を上から簡単に覆うことが可能である。そして、このようにゴミ袋覆いボックスでゴミ袋を覆った状態とすることで、カラス等がゴミ袋を突つくのを防止することができる。ゴミ袋の収集に際しては、上記開口部から手を入れてゴミ袋の絞られた口部を掴むか、或いは上記開口部から出されているゴミ袋の絞られた口部を掴んで持ち上げることにより、上蓋部はゴミ袋に押し上げられて自然と開くことができる。このため、ゴミの収集作業者は、上蓋部をわざわざ手で開ける操作をする必要がなく、ゴミ袋覆いボックス内のゴミ袋を迅速に取り出して収集することができる。
【０００８】
上記ゴミ袋覆いボックスは、積み重ね可能に形成されていてもよい。これによれば、余り場所を取らずに複数のゴミ袋を覆っておくことができる。
【０００９】
上記ゴミ袋覆いボックスは、上記積み重ねの位置ずれを防止する位置ずれ防止部材を備えてもよい。これによれば、上側に積み重ねられたゴミ袋覆いボックスが風などでずれ落ちるのを防止することができる。
【００１０】
上記ゴミ袋覆いボックスは、折り畳み可能または分解再組み立て可能に形成されていてもよい。これによれば、ゴミ収集後は、上記ゴミ袋覆いボックスを物入れ等にコンパクトに収納しておくことができる。
【００１１】
上記ゴミ袋覆いボックスにおいて、上記上蓋部の上記開口部を形成する縁が非鋭利化処理されていてもよい。これによれば、上記開口部から手を入れるときに上記開口部の縁で手が傷つくのを抑制でき、また、上記ゴミ袋が上記開口部の縁に触れて破損するのを抑制することができる。
【発明の効果】
【００１２】
本発明であれば、カラス等がゴミ袋を突つくのを防止することができるとともに、ゴミ収集に際して上蓋部をわざわざ開ける操作をする必要がなく、ゴミ袋覆いボックス内のゴミ袋を迅速に取り出して収集することができるという効果を奏する。
【図面の簡単な説明】
【００１３】
【図１】この発明の一実施形態のゴミ袋覆いボックスを示した説明図である。
【図２】図１のゴミ袋覆いボックスでゴミ袋２を覆った状態を示した説明図である。
【図３】図１のゴミ袋覆いボックス内のゴミ袋を取り出す様子を示した説明図である。
【図４】図１のゴミ袋覆いボックスを重ねた様子を示した説明図である。
【図５】同図（Ａ）および同図（Ｂ）は、この発明の他の実施形態のゴミ袋覆いボックスを示した説明図である。
【図６】同図（Ａ）は独立側面部を示した斜視図であり、同図（Ｂ）は、上記独立側面部を用いたこの発明の他の実施形態のゴミ袋覆いボックスを示した説明図である。
【発明を実施するための形態】
【００１４】
以下、この発明の実施の形態を添付図面に基づいて説明する。
図１に示しているように、この実施形態のゴミ袋覆いボックス１の本体は、４つの側面部を有する四角形の箱形状（立体形状）を成している。このゴミ袋覆いボックス１は、透明或いは不透明のプラスチック素材、例えば、ポリプロピレン等により形成されている。上記プラスチック素材の厚さは、例えば、０．５〜１．５ｍｍ程度とされ、上記側面部の変形が生じ難く、且つ側面部間の境界部において折り曲げが可能となるようにしている。もちろん、このような素材や厚さに限定されるものではない。
【００１５】
上記ゴミ袋覆いボックス１の本体の底は、底板部を有しない開口底となっている一方、上部側には上蓋部１１を備えている。この上蓋部１１は、対向する２つの側面部の上縁にそれぞれ傾倒可能に連結された２つの蓋片１１ａから成っている。なお、上記蓋片１１ａの基端側を、例えば他の部位よりも薄肉に形成しておくと、当該蓋片１１ａの開閉が比較的軽い力で行えるようにすることができる。また、各蓋片１１ａの先端の中央側には、例えば、半円状の切欠きが形成されており、各蓋片１１ａが閉じられた状態で上記半円状の切欠きが合わさって円形の開口部１２が形成されるようになっている。
【００１６】
上記ゴミ袋覆いボックス１は、上記のように、底板部を有しない箱形状を有しているので、図２に示しているように、ゴミの収集日に路上等に置いた１つのゴミ袋２を上記ゴミ袋覆いボックス１で上から簡単に覆うことができる。また、上記開口部１２からゴミ袋２の絞られた口部２ａを出すことができる。或いは、上記開口部１２からボックス本体内に手を入れてゴミ袋２の絞られた口部２ａを掴むこともできる。
【００１７】
上記開口部１２（切欠き）を形成する上記蓋片１１ａの縁に手が触れる場合があることに鑑み、また、ゴミ袋２が上記開口部１２（切欠き）を形成する上記蓋片１１ａの縁に触れて破損するおそれがあることに鑑み、上記切欠きを形成する縁の面取りを行って丸みを持たせたり、上記切欠きを形成する縁をカバーする部材（ゴム、プラスチック等）を当該縁に接着する等、上記蓋片１１ａの縁に対する非鋭利化処理を施しておくのが望ましい。また、上記開口部１２となる切欠きの端に生じた角を落すことによる非鋭利化処理を行ってもよい。さらには、上記蓋片１１ａにおいて、上記開口部１２を形成する縁とは異なる部位の縁や角についても、同様の非鋭利化処理を施しておいてもよい。
【００１８】
路上等に置かれたゴミ袋２が上記ゴミ袋覆いボックス１で覆われる状態としておくことにより、カラス等が上記ゴミ袋２を突つくのを防止することができる。なお、カラス等の動物が上蓋部１１上に乗ったときに、この動物の重みで上記蓋片１１ａが箱内側に入り込むようになっていると、動物は箱内に落ちる危険を感じて上記蓋片１１ａ上に乗らなくなるという効果も期待できる。
【００１９】
そして、図３に示しているように、上記ゴミ袋２の絞られた口部２ａを掴んで持ち上げることにより、上蓋部１１はゴミ袋２に押し上げられて自然と開くことができる。これにより、ゴミの収集作業者は、上蓋部１１をわざわざ手で開ける操作をする必要がなくなり、ゴミ袋覆いボックス１内のゴミ袋２を迅速に取り出して収集することができる。
【００２０】
図４に示しているように、例えば、２つのゴミ袋覆いボックス１の横断面のサイズが同じ大きさであるか、或いは上側のゴミ袋覆いボックス１の横断面のサイズが少し小さくされていると、２つのゴミ袋覆いボックス１を上下に積み重ねることができる。このように、ゴミ袋覆いボックス１を上下に積み重ねることができると、道路上で余り場所を取らずに複数のゴミ袋を覆うことができる。なお、ゴミ袋覆いボックス１の底は開口しているので、上側のゴミ袋２の重量は下側のゴミ袋覆いボックス１の上蓋部１１に加わることになる。
【００２１】
また、上記ゴミ袋覆いボックス１の本体が、上述したように、隣り合う側面部の境界部において折り曲げが行えるようになっていると、折り畳み可能となり、ゴミ収集後は、上記ゴミ袋覆いボックス１を物入れ等にコンパクトに収納しておくことができる。
【００２２】
図４に示した例では、積み重ねられた上側のゴミ袋覆いボックス１の位置ずれを防止する位置ずれ防止部材として、下側のゴミ袋覆いボックス１の各側面部の上縁の外側にストッパ片３が例えば接着によって取り付けられている。上記ストッパ片３は、例えば、四辺形に形成されており、その一部を上記上縁よりも上側に突出させている。各ストッパ片３の上記突出された部分によって、上側のゴミ袋覆いボックス１の水平方向の移動が規制されることになる。これにより、上側に積み重ねられた上記ゴミ袋覆いボックス１が風などで横にずれ落ちるのを防止することができる。なお、上記ストッパ片３は、プラスチック素材で形成されてもよいし、他の素材から成っていてもよい。
【００２３】
図５（Ａ）に示した例では、ゴミ袋覆いボックス１の位置ずれを防止する位置ずれ防止部材として、マグネットバー４を備えている。例えば、本体の対向する２つの側面部の外側の上縁側および下縁側にそれぞれマグネットバー４が横向きで接着等により固定される。そして、例えば、上縁側のマグネットバー４の上面側がＳ極とされ、下縁側のマグネットバー４の下面側がＮ極とされる。
【００２４】
このような構造であると、上側に設けられるゴミ袋覆いボックス１の下縁側のマグネットバー４と下側に設けられるゴミ袋覆いボックス１の上縁側のマグネットバー４とが磁力吸着し合うため、上側のゴミ袋覆いボックス１の動きが規制されることになる。これにより、上側に積み重ねられた上記ゴミ袋覆いボックス１が風などでずれ落ちるのを防止することができる。なお、ゴミ袋覆いボックス１が上記マグネットバー４を備えると、その分重量が増すため、風で吹き飛ばされ難くなる。また、このように重量が増えると、上記ゴミ袋２に押し上げられて上蓋部１１が自然に開く際に、ゴミ袋覆いボックス１自体が持ち上がってしまうのを抑制できる。
【００２５】
また、上記ゴミ袋覆いボックス１を横に並べる場合において、隣り合うゴミ袋覆いボックス１のマグネットバー４同士が磁力吸着し合うようになっていると、複数のゴミ袋覆いボックス１が横に整然と並ぶ状態をキープすることも容易になる。
【００２６】
また、カラス等の鳥は磁石（磁力）を嫌がることが知られている。ゴミ袋覆いボックス１が上記マグネットバー４を備えることで、鳥を寄せつけない効果も期待できる。
【００２７】
なお、マグネットバー４と同様のバー形状で磁力無しの滑りにくいゴム素材を用いたバーを用いる場合でも、このゴム素材の滑り難さにより、積み重ねられた上側のゴミ袋覆いボックス１の位置ずれを防止することができる。また、同様のバー形状で上面或いは下面に凹凸が形成されている構成であれば、特にゴム素材としなくても滑り難くできるので、積み重ねられた上側のゴミ袋覆いボックス１の位置ずれを防止することができる。
【００２８】
図５（Ｂ）に示した例では、図５（Ａ）に示した構造と同様、マグネットバー４を備えるが、このマグネットバー４は、本体の側面部の外面ではなく、内面に設けられている。このような構造でも、上記ゴミ袋覆いボックス１の位置ずれを防止できるとともに、重量増による効果も得られる。また、上記側面部の上側の内面に設けられたマグネットバー４を水平状態とされた上記蓋片１１ａに接触するように設けておくと、上記蓋片１１ａが箱内側に入り込むのを抑制できる構造となる。
【００２９】
上記マグネットバー４は、ゴム素材やプラスチック素材で被覆されるなど、屋外使用でも劣化しにくいものとするのが望ましい。
【００３０】
図６（Ａ）は、他の実施形態に係るゴミ袋覆いボックス１を構成する独立側面部１３を示している。この独立側面部１３は、プラスチック素材等からなる本体板の両サイドに円柱状の支柱部１３ａを有している。例えば、この支柱部１３ａの一方は鉄等の磁性体（強磁性体）を備えており、他方は磁石を備えている。上記磁性体や磁石はゴム素材等で被覆されている。このような独立側面部１３を４枚用意し、磁性体を有する支柱部１３ａと磁石を有する支柱部１３ａとを磁力吸着で接合させることで、図６（Ｂ）に示すように、４つの側面を有する箱体状の本体からなるゴミ袋覆いボックス１を形成することができる。なお、蓋片１１ａは、対向する２つの独立側面部１３の本体板の上縁に形成されていればよい。
【００３１】
このような構成のゴミ袋覆いボックス１は、分解再組み立て可能に形成されたものとなり、ゴミ収集後は、上記ゴミ袋覆いボックス１を物入れ等にコンパクトに収納しておくことができる。また、磁性体を有する支柱部１３ａと磁石を有する支柱部１３ａとにより、上に積み重ねたゴミ袋覆いボックス１の位置ずれを防止することも可能となり、また、重量増による効果も得られる。
【００３２】
なお、上記の実施形態では、ゴミ袋覆いボックス１の本体は４つの側面を有する４角箱形状を有したが、このような４角箱形状に限らない。また、上蓋部１１は２枚の蓋片１１ａから成るが、これに限らず、上蓋部１１は１枚の蓋片あるいは３枚以上の蓋片から成っていてもよい。また、ゴミ袋覆いボックス１の本体は角形に限らず、円筒箱形状を有していてもよい。なお、上記独立側面部１３の本体板を可撓性の素材で横長に形成したものを1個用い、両サイド側の支柱部１３ａ同士を磁力吸着させることで、円筒箱形状のゴミ袋覆いボックス１を作製することが可能であり、このようなゴミ袋覆いボックス１も、分解再組み立て可能に形成されたものとなる。このような構成の場合、上記本体板の上縁側に蓋片が可動に設けられたものとなる。また、ゴミ袋覆いボックス１は、プラスチック素材に限らず、ゴム材、防水加工された木質材や紙質材、メッシュ状の金属板、金網等から成るものでもよい。また、蓋片はヒンジ部材によって開閉される構造であってもよい。
【００３３】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３４】
１        ：ゴミ袋覆いボックス
２        ：ゴミ袋
２ａ      ：口部
３        ：ストッパ片（位置ずれ防止部材）
４        ：マグネットバー（位置ずれ防止部材）
１１      ：上蓋部
１１ａ    ：蓋片
１２      ：開口部
１３      ：独立側面部
１３ａ    ：支柱部
【図１】
2017036105.tif 000003
【図２】
2017036105.tif 000004
【図３】
2017036105.tif 000005
【図４】
2017036105.tif 000006
【図５】
2017036105.tif 000007
【図６】
2017036105.tif 000008